(57)【特許請求の範囲】
【請求項１】
可逆的に解放可能に便座セット（３）を便器（２、２０）に固定するための取り付け装置（１、１０、１００）であって、
前記便座セット（３）に固定される方式で連結され得る連結セグメント（１１、１１０）と、
前記連結セグメント（１１、１１０、１１００）に配置され且つ少なくとも部分的に前記便器（２、２０）の取り付け開口部（２１、２１０）を通って送り込まれ得るロッドセグメント（１２、１２０、１２００）と、
前記連結セグメント（１１、１１０、１１００）から一定の距離をおいて前記ロッドセグメント（１２、１２０、１２００）に配置された変形可能ブロッキング部分（１３、１３０、１３００）であって、前記ロッドセグメント（１２、１２０、１２００）が少なくとも部分的に前記便器（２、２０）の前記取り付け開口部（２１、２１０）を通って送り込まれたときに、前記連結セグメント（１１、１１０、１１００）と前記ブロッキング部分（１３、１３０、１３００）が前記便器（２、２０）の前記取り付け開口部（２１、２１０）の両側に配置され得る、ブロッキング部分（１３、１３０、１３００）と、
前記ロッドセグメント（１２、１２０、１２００）上に配置され、前記便器（２、２０）の前記取り付け開口部（２１、２１０）を通って延びるように構成されたスペーサ（１８、１８０、１８００）であって、前記便器（２、２０）の前記取り付け開口部（２１、２１０）の深さと実質的に同じであるように構成された長さを前記スペーサ（１８、１８０、１８００）が有し、前記スペーサ（１８、１８０、１８００）の上端が前記連結セグメント（１１、１１０）に接触し、前記スペーサ（１８、１８０、１８００）の下端が前記ブロッキング部分（１３、１３０、１３００）に接触する、スペーサ（１８、１８０、１８００）と、
前記ロッドセグメント（１２、１２０、１２００）に接続した作動レバー（１６、１６０、１６００）であって、前記ブロッキング部分（１３、１３０、１３００）が前記便器（２、２０）の前記取り付け開口部（２１、２１０）を通って移動し得ない方式で変形されるように下方から圧縮される、前記取り付け装置（１、１０、１００）の締め付け位置から、前記ブロッキング部分（１３、１３０、１３００）が前記便器（２、２０）の前記取り付け開口部（２１、２１０）を通って移動し得るように十分に小さく変形される、前記取り付け装置（１、１０、１００）の解放位置へと移動され、その後、元に戻るように移動され得る、作動レバー（１６、１６０、１６００）とを備え、
前記ロッドセグメント（１２、１２０、１２００）が、前記締め付け位置では前記連結セグメント（１１、１１０、１１００）に固定される方式で連結され、前記解放位置では前記連結セグメント（１１、１１０、１１００）に対して移動可能に連結され、前記ロッドセグメント（１２、１２０、１２００）が、前記締め付け位置と前記解放位置において１つの予め規定された角度で前記連結セグメント（１１、１１０、１１００）から突出することを特徴とする、取り付け装置（１、１０、１００）。
【請求項２】
前記連結セグメント（１１、１１０、１１００）が、ガイドスロット（１１４）を有する本質的に平坦な接触表面（１１１、１１１０、１１１００）を備え、前記ロッドセグメント（１２、１２０、１２００）が、前記ガイドスロット（１１４）を通って前記接触表面（１１１、１１１０、１１１００）を貫通する、請求項１に記載の取り付け装置（１、１０、１００）。
【請求項３】
前記連結セグメント（１１、１１０、１１００）の前記接触表面（１１１、１１１０、１１１００）の前記ガイドスロット（１１４）から回転不可能な方式で延在するロッドセグメントのスリーブ（１７、１７００）を備え、前記ロッドセグメント（１２、１２０、１２００）が、前記ロッドセグメントのスリーブ（１７、１７００）を貫通し且つ前記ロッドセグメントのスリーブ（１７、１７００）内で回転可能である、請求項２に記載の取り付け装置（１、１０、１００）。
【請求項４】
スクリーン（１１３）が、前記連結セグメント（１１、１１０、１１００）の前記接触表面（１１１、１１１０、１１１００）上に形成される、請求項２又は３に記載の取り付け装置（１、１０、１００）。
【請求項５】
前記連結セグメント（１１、１１０、１１００）の前記接触表面（１１１、１１１０、１１１００）上に配置されたシール（１９、１９０）を備える、請求項２から４のいずれか一項に記載の取り付け装置（１、１０、１００）。
【請求項６】
前記ロッドセグメント（１２、１２０、１２００）が長手方向軸（１２１、１２１００）を有し、前記作動レバー（１６、１６０、１６００）が回転不可能な方式で前記ロッドセグメント（１２、１２０、１２００）に連結され、前記作動レバー（１６、１６０、１６００）が、前記ロッドセグメント（１２、１２０、１２００）の前記長手方向軸（１２１、１２１００）の周りで前記解放位置から前記締め付け位置へと回転され、且つ、戻され得る、請求項１から５のいずれか一項に記載の取り付け装置（１、１０、１００）。
【請求項７】
前記ロッドセグメント（１２、１２０、１２００）に対して回転不可能な方式で連結された枢動ピン（１４、１４００）、及び前記ロッドセグメントのスリーブ（１７、１７００）に対して回転不可能な方式で連結され且つ前記ロッドセグメントのスリーブ（１７、１７００）上で軸方向に移動可能なスライドボルト（１５、１５００）を備え、前記ブロッキング部分（１３、１３０、１３００）が、前記ロッドセグメントのスリーブ（１７、１７００）に配置され、前記スライドボルト（１５、１５００）が、前記枢動ピン（１４、１４００）と前記ブロッキング部分（１３、１３０、１３００）との間に配置される、請求項３から５のいずれか一項に記載の取り付け装置（１、１０、１００）。
【請求項８】
前記枢動ピン（１４、１４００）が、前記スライドボルト（１５、１５００）に向かって面する外側接触面（１４１、１４１００）を有し、前記スライドボルト（１５、１５００）が、前記枢動ピン（１４、１４００）に向かって面する内側接触面（１５１、１５１００）を有し、前記枢動ピン（１４、１４００）の前記外側接触面（１４１、１４１００）と前記スライドボルト（１５、１５００）の前記内側接触面（１５１、１５１００）が、前記ロッドセグメント（１２、１２０、１２００）の長手方向軸（１２１、１２１００）に対して同一の鋭角で置かれる、請求項７に記載の取り付け装置（１、１０、１００）。
【請求項９】
前記スライドボルト（１５、１５００）の前記内側接触面（１５１、１５１００）と前記枢動ピン（１４、１４００）の前記外側接触面（１４１、１４１００）が、前記取り付け装置（１、１０、１００）の前記解放位置において、互いにぴったり重なって置かれる、請求項８に記載の取り付け装置（１、１０、１００）。
【請求項１０】
便器（２、２００）、便座セット（３）、及び可逆的に解放可能に前記便器（２、２０）に前記便座セット（３）を固定するための、請求項１から９のいずれか一項に記載の取り付け装置（１、１０、１００）を有するトイレであって、
前記便座セット（３）が、前記取り付け装置（１、１０、１００）の連結セグメント（１１、１１０、１１００）に固定される方式で連結され、
前記便器（２、２０）が、取り付け開口部（２１、２１０）を通って前記連結セグメント（１１、１１０、１１００）に配置された前記取り付け装置（１、１０、１００）のロッドセグメント（１２、１２０、１２００）が少なくとも部分的に送り込まれ得るところの、取り付け開口部（２１、２１０）を有し、
前記取り付け装置（１、１０、１００）の変形可能なブロッキング部分（１３、１３０、１３００）が、前記ロッドセグメント（１２、１２０、１２００）上において、前記連結セグメント（１１、１１０、１１００）から一定の距離をおいて、前記便器（２、２００）の前記取り付け開口部（２１、２１０）の前記連結セグメント（１１、１１０、１１００）とは反対側に配置され、
前記取り付け装置（１、１０、１００）の作動レバー（１６、１６０、１６００）が、前記取り付け装置（１、１０、１００）の前記ブロッキング部分（１３、１３０、１３００）が前記便器（２、２０）の前記取り付け開口部（２１、２１０）を通って移動し得ないような方式で変形される、取り付け装置（１、１０、１００）の締め付け位置から、前記取り付け装置（１、１０、１００）の前記ブロッキング部分（１３、１３０、１３００）が前記便器（２、２０）の前記取り付け開口部（２１、２１０）を通って移動し得るように十分に小さく変形される、前記取り付け装置（１、１０、１００）の解放位置へと移動可能であり、その後、元に戻るように移動されることが可能であり、前記作動レバー（１６、１６０、１６００）が、前記締め付け位置へ移動されると、前記取り付け装置（１、１０、１００）の前記ブロッキング部分（１３、１３０、１３００）が変形され、前記取り付け装置（１、１０、１００）が前記便座セット（３）と共に前記便器（２、２０）に固定され、前記取り付け装置（１、１０、１００）の前記ロッドセグメント（１２、１２０、１２００）が、前記取り付け装置（１、１０、１００）の前記連結セグメント（１１、１１０、１１００）及び前記便器（２、２０）に固定される方式で連結される、トイレ。
【請求項１１】
前記便器（２、２０）と前記便座セット（３）の上側との間の高さが、閉じた位置において、最大で４ｃｍ又は最小で３．５ｃｍである、請求項１０に記載のトイレ。
【請求項１２】
前記便座セット（３）が閉じた位置にあるときに、前記取り付け装置（１、１０、１００）が、前記便座セット（３）の下方に配置される、請求項１０又は１１に記載のトイレ。
【請求項１３】
互いに横方向に隣接して配置された２つの同一な取り付け装置（１、１０、１００）を備える、請求項１０から１２のいずれか一項に記載のトイレ。
【発明の詳細な説明】
【技術分野】
【０００１】
本発明は、独立請求項１の前文による取り付け装置に関する。
【０００２】
例えば、そのような取り付け装置は、便座セットに固定される方式で連結され得る連結セグメントと、連結セグメントに配置され且つ少なくとも部分的に便器の取り付け開口部を通って送り込まれ得るロッドセグメントと、連結セグメントから一定の距離においてロッドセグメントに固定された変形可能ブロッキング部分であって、ロッドセグメントが少なくとも部分的に便器の取り付け開口部を通って送り込まれたときに、連結セグメントとブロッキング部分が取り付け開口部の両側に配置され得る、ブロッキング部分と、ブロッキング部分が取り付け開口部を通って移動し得ない方式で変形される締め付け位置と、ブロッキング部分が便器の取り付け開口部を通って移動し得るように十分に小さく変形される解放位置とを有する、作動レバーとを含む。該取り付け装置は、可逆的に解放可能な方式で便座セットを便器に固定するために使用され得る。
【背景技術】
【０００３】
今日、座るトイレは、衛生施設内で広く使用されている。例えば、そのような座るトイレは、セラミックの便器及び便座セットを備えている。便器は、概して、便器の境界を限定する外側縁を有する上端開口部、便器の内側を清掃するためのフラッシュ（ｆｌｕｓｈ）、及び便器の下側端部にフィットした排水口を有する。便座セットは、通常、それによって便器の縁が覆われ得るところのシートリング、便座の開口部を閉めるための蓋、及びヒンジを含む。便座セットは、シートリング及び蓋を開閉できるように、そのヒンジにおいて便器の縁の後方領域上に取り付けられている。
【０００４】
便座セットを便器上に取り付けるために、便器は、しばしば、縁の後方領域内に即ち便器開口部の後縁上に、１つの又は好ましくは２つの取り付け開口部を有している。一方が便座セットに連結され、他方が便器の取り付け開口部を介して便器に取り付けられ得る、取り付け装置の多くの先行技術デザインが存在する。例えば、取り付け開口部の中から取り出され又は中へ挿入される、プラスチック又は金属の装置が、広く使用されている。そのような取り付け装置は、しばしば、比較的不安定であり、便器から便座セットが意図せず且つ不本意に分離されることが生じ得る。更に、特に便器と便座セットがヒンジ領域内でぶつかる任意のゾーンにおいて、しばしば、清掃が困難である。この問題は、特に、不特定の人々が、レストラン、病院、及び殊に公衆トイレ内などのトイレを使用する所で生じる。
【０００５】
ＷＯ２０１３／００３９６９Ａ２は、この点が改善された便座セットのための取り付け装置を説明している。例えば、取り付け装置は、レバー及びロッド形状の挿入部材を備えている。ロッド形状の挿入要素は、偏心要素を介して、その一方の長手方向端部がレバーに連結され、且つ、その他方の長手方向端部がエラストマーチューブに連結されている。取り付けのために、挿入部材は、エラストマーチューブが便器の縁の下側に配置されるまで、取り付け開口部のうちの１つを通って上方から送り込まれる。その後、レバーは、垂直位置から水平位置まで傾けられ、挿入要素の偏心要素が上向きに引っ張られる。ここで、エラストマーチューブは、挿入要素とブロッキング要素との間で締め付けられ、もはや取り付け開口部を通り抜けないように変形される。この位置では、取り付け装置が便器に固定される。
【０００６】
上述された取り付け装置の１つの欠点は、該取り付け装置が、便座セットを固定された位置及び配置で便器に固定するということである。したがって、便座のシートリングは、便器の縁に対してぴったりと置かれずに、便器から幾らか斜めに突出するということが起こり得る。そのような取り付け装置の場合に、便座セットは、レバーが後ろから操作可能となるように、わずかに上流に取り付けられる必要もある。これは、便座セットのヒンジ領域内に狭い構造体を必要とするか又は便器の広い後縁を必要とする。
【０００７】
したがって、以下の発明の目的は、取り付け装置を用いて便座セットが便器と位置合わせされ得るところの、又は取り付け装置を用いて便座セットの位置が便器に対して適合され得るところの、取り付け装置を提示することである。更に、該取り付け装置は、好ましくは、取り付け装置を操作し得るために、便器の１つの縁又は便座セットについて特別な注意を払う必要を避けるべきである。
【発明の概要】
【０００８】
本目的は、独立請求項１で規定される取り付け装置、更には、独立請求項１１で規定されるトイレによって達成される。本発明の取り付け装置の有利な実施形態は、従属請求項からもたらされる。
【０００９】
本発明の本質は、以下の事から成る。すなわち、可逆的に解放可能な方式で便座セットを便器に固定するための取り付け装置は、便座セットに固定され得る方式で連結され得る連結セグメント、及び連結セグメントに配置され且つ少なくとも部分的に便器の取り付け開口部を通って送り込まれ得るロッドセグメントを備える。更に、該取り付け装置は、連結セグメントから一定の距離においてロッドセグメントに配置された変形可能ブロッキング部分を備え、ロッドセグメントが少なくとも部分的に便器の取り付け開口部を通って送り込まれたときに、連結セグメントとブロッキング部分が便器の取り付け開口部の両側に配置され得る。該取り付け装置は作動レバーを備え、作動レバーは、ブロッキング部分が便器の取り付け開口部を通って移動し得ない方式でブロッキング部分が変形される、取り付け装置の締め付け位置から、ブロッキング部分が便器の取り付け開口部を通って移動し得るように十分に小さく変形される、取り付け装置の解放位置へと移動可能であり、その後、元に戻され得る。ここで、ロッドセグメントは、締め付け位置では連結セグメントに固定される方式で連結され、解放位置では連結セグメントに対して移動可能に連結され、ロッドセグメントは、締め付け位置と解放位置において好ましくは同一の予め規定された角度で連結セグメントから突出する。
【００１０】
本発明の文脈では、「トイレ」という用語が、身体から出る排泄物、特に、大便と小便を受けるための衛生シート装置（ｓａｎｉｔａｒｙ  ｓｅａｔ  ｄｅｖｉｃｅ）を意味するものと理解される。この用語は、「トイレ（ｌｏｏ）」、「御手洗い」、「便所」、又は「ＷＣ」という用語と同義的に使用される。しばしば、トイレは、磁器などのセラミック材料の便器、便器を流すためのフラッシュ装置、及び、例えば、便器の縁を覆うためのプラスチック又は木材から成るシートリングを備える。
【００１１】
「可逆的に解放可能」という用語は、便座セットと便器との関連で、便座セットが便器から数回又は繰り返し取り外され得るという事実を指している。言い換えると、取り付け装置は、便座セットが、便器に不定期に取り付けられ、再び、そこから取り外され又は取り除かれるように提供され得る。
【００１２】
便座セットは、通常、上述されたタイプのシートリング、及び１以上のヒンジなどの開閉機構を備える。便座セットが便器に固定されたときに、シートリングは、開閉機構によって、便器から引き上げられ且つ便器上に引き下ろされ得る。便座セットは、シートリングと同じ方式で便器から引き上げられ且つ便器上に引き下ろされる便蓋も備える。便蓋（ｔｏｉｌｅｔ  ｌｉｄ）は、衛生上の理由から便器又はその開口部を覆うように機能する。
【００１３】
通常、便座セットは、２つの取り付け装置を備えた取り付けセットを用いて便器に固定される。結果として、便座セットは、回転する（捩じれる）ことがないように、十分に安定するように固定される。
【００１４】
ロッドセグメントと連結セグメントの連結に言及する「固定（ｓｔａｔｉｏｎａｒｙ）」という用語は、互いに対する２つの部品の本質的に固定的な配置に関し得る。特に、ロッドセグメントは、連結セグメントに固定されるような方式で連結され、そのような方式においては、ロッドセグメントは連結セグメントに対して傾いたり又は移動したりすることがない。しかし、特に、ロッドセグメントの長手方向軸の周りの、連結セグメントに対するロッドセグメントの回転は、未だ起こり得る。この場合に、締め付け位置におけるロッドセグメントの回転は、例えば、作動レバーによって適切な力を加えることによってのみ可能である。
【００１５】
便座セットと連結セグメントとの間の連結に関して、「固定（ｓｔａｔｉｏｎａｒｙ）」という用語は、便座セットが連結セグメントから除去され得ないという事実も指し得る。しかし、連結セグメントに関して、便座セットは未だ傾くことが可能であり、開閉可能であり、又は回転することが可能である。
【００１６】
本発明の文脈における「回転不可能」という用語は、連結された部品が共に回転するところの連結を指す。連接された部品は、長手方向の移動などの他の移動に対して柔軟であり得る。
【００１７】
ロッドセグメントが取り付け開口部を通って送り込まれ、ブロッキング部分が連結セグメントとは反対側の取り付け開口部の側部に配置され且つ変形されるように、固定装置が便器に配置されたときに、取り付け装置は、便座セットが効率的且つ十分にしっかりと便器に固定されることを可能にする。これは、特に、便座セットがせん断力に対する十分な抵抗性を有することを保証し得る。例えば、トイレの便蓋セットが劣化することなしに晒され得るせん断力の大きさは、とりわけドイツ標準化研究所（Ｇｅｒｍａｎ  ｌｎｓｔｉｔｕｔｅ  ｆｏｒ  Ｓｔａｎｄａｒｄｉｓａｔｉｏｎ）によって発行されたものなどの、基準内で規定されている。例えば、これらのせん断力の大きさが３００ニュートンに設定される基準が知られている。本発明の取り付け装置は、そのような安全に関する要件を効率的に満たすことができる。
【００１８】
連結セグメントから好ましくは同一の予め規定された角度においてロッドセグメントが突出することを保証することによって、その正確な予め規定された配置が達成され得る。例えば、その後、ロッドセグメントは、容易に垂直な位置に配置され、比較的容易に便器の取り付け開口部の中へ挿入されることができる。したがって、解放位置では、ロッドセグメントは、連結セグメントに沿ってのみ移動されることが可能である。意図されるように、物（ｆｉｘｔｕｒｅ）が便器の取り付け開口部の中へ挿入されるが、未だ解放位置にあるならば、これは、連結セグメント及びそれと共に便座セットが、その縁の上端に沿って移動され得るという効果を有する。これは、便座セットが正確に配置され且つ位置合わせされることを可能にする。
【００１９】
便座セットが目標位置又は配置に置かれたならば、作動レバーが手動で操作され、取り付け装置は締め付け位置へと移動される。この場合に、ブロッキング部分は、もはや便器の取り付け開口部を通り抜けないように変形される。例えば、ブロッキング部分は、熱可塑性材料又はポリウレタンから作られ得る。この締め付け位置では、便座セットが、一方では、便器にしっかりと取り付けられ、他方では、便器に正確に配置され且つ位置合わせされている。
【００２０】
好ましくは、連結セグメントが、ガイドスロットを有する本質的に平坦な接触表面を備え、ロッドセグメントが、ガイドスロットを介して接触表面を通って突出する。ロッドセグメントが取り付け開口部を通って送り込まれたときに、接触表面は、便器の縁に配置されるように設計され得る。これは、便座セットが便器に手際よく正確に配置されることを可能にする。今度は、ガイドスロットが、便座セットが一定程度移動されることによって、便座セットができる限り効率的に配置され且つ位置合わせされることを可能にする。
【００２１】
ここで、好ましくは、取り付け装置が、連結セグメントの接触表面のガイドスロットから回転不可能に延在するロッドセグメントのスリーブを備え、ロッドセグメントはロッドセグメントのスリーブを通って突出し且つその中で回転し得る。例えば、金属チューブ又はチューブセグメントが、ロッドセグメントのスリーブとして使用され得る。ロッドセグメントのスリーブは、ガイドスロットに対して、それ故、連結セグメントに対して、回転不可能であるがスロットに沿って移動可能な、その長手方向端部の一方の適切な設計によって、移動可能又は変位可能であり、その長手方向端部は、例えば、非対称又は細長い形状を有することによって、その長手方向端部が、ガイドスロット内で回転することができない状態でガイドスロット内に置かれ得る。ロッド要素のスリーブは、ロッドセグメントの長手方向の移動及び長手方向軸周りの回転移動に対してガイドを提供する。
【００２２】
好ましくは、スクリーン（ｓｃｒｅｅｎ）が、連結セグメントの接触表面に設けられる。スクリーンは、ロッドセグメント、及び可能性としてはスリーブが付けられたロッドセグメントが、連結セグメント上でステップ状に移動されることを可能にする。これは、締め付け位置にあるロッドセグメントの不注意な移動が避けられることを可能にする。
【００２３】
更に、好ましくは、取り付け装置が、連結セグメントの接触面に配置されたシールを備える。フィットされたときに、該シールは、連結セクションと便器又はその縁との間に配置され、この領域を密封する。これは、水分及び／又は汚れが、この領域を通過すること、及び、例えば、
便器の取り付け開口部を通って広がることを防ぐことができる。
【００２４】
好ましくは、ロッドセグメントが長手方向軸を有し、作動レバーが（ロッドセグメントに対して）「回転不可能」な方式でロッドセグメントに連結され、作動レバーは、ロッドセグメントの長手方向軸の周りで解放位置から締め付け位置へと回転され得る。ここで、作動レバーを操作することは、ロッドセグメントが、その長手方向軸の周りで回転し又は回転されることをもたらす。したがって、作動レバーは、水平な回転移動によって効率的に操作され得る。とりわけ、これは、作動レバーが空間を節約した隠蔽された方式で配置されることを可能にする。例えば、作動レバーは、便座セットと便器との間に配置され、外側から見ることが困難であり又は不可視的であり得る。更に、そのような水平に回転可能な作動レバーは、取り付け装置が便座セットに対して後ろ向きに移動されることを妨げる。そのような水平に移動可能な作動レバー及びそれに関連する締め付け機構は、ロッドセグメントが連結セグメント上で移動されない取り付け装置の実施形態においても使用され得る。
【００２５】
好ましくは、取り付け装置が、ロッドセグメントに対して回転不可能に連結された枢動ピン（ｐｉｖｏｔ  ｐｉｎ）、及びロッドセグメントのスリーブに対して回転不可能に連結され且つロッドセグメントのスリーブ上で軸方向に移動可能なスライドボルト（ｓｌｉｄｉｎｇ  ｂｏｌｔ）を有し、ブロッキング部分が、ロッドセグメントのスリーブ上に配置され、スライドボルトが、枢動ピンとブロッキング部分との間に配置される。枢動ピンは、例えば、作動レバーによって、スライドボルトに対してロッドセグメントを回転させることによって回転され得る。今度は、スライドボルトが、ロッドセグメントのスリーブに沿って枢動ピンから離れるように移動され、且つ、枢動ピンに向かって移動され得る。ブロッキング部分は、この軸方向の移動によって絞られ又は圧力をかけられ得る。
【００２６】
例えば、この機構は、回転する枢動ピン及び摺動するスライドボルトに設けられ、適切な手段の枢動ピンの回転移動の間に、スライドボルトの長手方向の移動をもたらす。これに関して、好ましくは、枢動ピンが、スライドボルトに面する外側接触面を有し、好ましくは、スライドボルトが、枢動ピンに面する内側接触面を有し、枢動ピンの外側接触面とスライドボルトの内側接触面が、ロッドセグメントの長手方向軸に対して同一の鋭角で置かれる。外側接触面と内側接触面は、ロッドセグメントの長手方向軸に対して可変の鋭角を有してもよい。外側接触面と内側接触面は、枢動ピンとスライドボルトの円周方向において、それらに応じた螺旋形状にも設計され得る。または、外側接触面と内側接触面は、枢動ピンとスライドボルトの円周方向において、それらに応じて、領域内の２以上の螺旋状セグメントとして設計され得る。この場合では、枢動ピンとスライドボルトが、各々、中央開口部を有し、それによって、接触面が、各々、縁領域内すなわち円周方向における領域内でのみ形成される。
【００２７】
したがって、枢動ピンとスライドボルトは、互いに対して傾いた内側及び外側接触面上に共に配置され得る。ここで、好ましくは、スライドボルトの内側接触面と枢動ピンの外側接触面が、互いに対して平坦である取り付け装置の解放位置内に置かれる。作動レバーを操作することによって、枢動ピンとスライドボルトが互いに対して回転されるならば、枢動ピンとスライドボルトは、傾いた接触面にそって互いから離れるように押される。これは、スライドボルトをブロッキング部分に向かってロッドセグメントのスリーブに沿って移動させ、それによって、ブロッキング部分を締め付け且つ変形させる。したがって、特に、ブロッキング部分は、ビーズ（ｂｅａｄ）を形成し、その半径を増加させ得る。それによって、ブロッキング部分は、もはや取り付け開口部を通って移動することができない。
【００２８】
好ましくは、スペーサが、ロッドセグメントのスリーブ上で、ブロッキング部分と連結セグメントとの間に配置される。スペーサは、取り付け装置が取り付け開口部の中へ挿入されたときに、ブロッキング部分が、連結セグメントの側とは異なる、便器の取り付け開口部の他の側部に配置されることを保証し得る。特に、スペーサの長さは、便器の厚さ又は強度に比例し得る。
【００２９】
本発明の別の一態様は、便器、便座セット、及び可逆的に解放可能な方式で便器に便座セットを固定するための上述の取り付け装置を有する、トイレに関する。便座セットは、取り付け装置の連結セグメントに固定される方式で連結される。便器は、そこを通って連結セグメントに配置された取り付け装置のロッドセグメントが少なくとも部分的に送り込まれるところの、取り付け開口部を有する。ロッドセグメント上で連結セグメントから一定の距離だけ離れて配置された、取り付け装置の変形可能なブロッキング部分は、便器の取り付け開口部の反対側に配置される。取り付け装置の作動レバーは、締め付け位置へと移動される。作動レバーは、取り付け装置のブロッキング部分が便器の取り付け開口部を通って移動することができないような方式で変形される、取り付け装置の締め付け位置から、取り付け装置のブロッキング部分が便器の取り付け開口部を通って移動し得るように十分に小さく変形される、取り付け装置の解放位置へと移動可能であり、その後、元に戻るように移動される。この結果として、取り付け装置のブロッキング部分は変形され、取り付け装置は便座セットと共に便器に固定され、取り付け装置のロッドセグメントが、取り付け装置の連結セグメントと便器に固定されるような方式で連結される。取り付け装置に関連して上述された効果及び利点は、本発明のトイレによって効率的に達成され得る。
【００３０】
閉じた位置において、便器と便座セットの上側との間のトイレの高さは、好ましくは、最大で４ｃｍ又は最小で３．５ｃｍである。上述された方式での取り付け装置の設計によれば、便座セット取り付け装置の構成に対して比較的低い全体の高さが達成可能である。これは、しばしば、快適さ又は審美的な理由で望ましい。特に、３．５ｃｍの全体の高さを超えない設計は、多くの場合に望ましい。
【００３１】
好ましくは、便座セットが閉じた位置にあるときに、トイレ内の取り付け装置は、便座セットの下方に配置される。これは、取り付け装置が保護され且つ覆われることを保証する。
【００３２】
好ましくは、トイレが、互いに横方向に隣接して配置される２つの同一な取り付け装置を備える。その後、２つの取り付け装置は、可能性としては更なる同一な取り付け装置と共に、アセンブリキットを作り上げ得る。そのような多数の取り付け装置を用いて、又はアセンブリキットを用いることによって、便座セットが十分に安定し且つ回転不可能に固定されることを保証し得る。
【００３３】
本発明の更なる有利な実施形態は、概略的な図面に基づく実施形態の以下の説明において述べられる。特に、本発明の取り付け装置は、例示的な実施形態に基づく添付の図面を参照しながら以下で説明される。
【図面の簡単な説明】
【００３４】
【図１】本発明の取り付け装置の第１の実施形態の前面図を示す。
【図２】図１の取り付け装置の側面図を示す。
【図３】図１の取り付け装置の底面図を示す。
【図４】図１の取り付け装置の上方の、便器に設置された便座セットの図を示す。取り付け装置は解放位置にある。
【図５】図１の取り付け装置の上方の、便器に設置された便座セットの図を示す。取り付け装置は締め付け位置にある。
【図６】本発明の取り付け装置の第２の実施形態によって便器に取り付けられた便座セットの図である。取り付け装置は解放位置にある。
【図７】図６の取り付け装置によって便器に取り付けられた便座セットの図である。取り付け装置は締め付け位置にある。
【図８】格納された作動レバーを有する本発明の取り付け装置の第３の実施形態の側面図を示す。
【図９】作動レバーが延ばされた状態の図８の取り付け装置の側面図を示す。
【図１０】作動レバーが格納された状態の図８の取り付け装置の平面図を示す。
【図１１】作動レバーが延ばされた状態の図８の取り付け装置の平面図を示す。
【発明を実施するための形態】
【００３５】
実用的な理由によって、特定の用語が以下の説明で使用されるが、それらは限定的なものであると理解されるべきではない。「右」、「左」、「下側」、及び「上側」という用語は、参照される図面内の方向を示す。「内向き」及び「外向き」という用語は、取り付け装置及び取り付け装置の指定された部分の幾何学的な中心へ向かう又はそれから離れる方向を指す。専門用語は、特に上述された単語、それらの派生語、及び類似する意味の単語を含む。
【００３６】
図１は、本発明の取り付け装置１の第１の実施形態を示し、それは、金属連結セグメント１１、長手方向軸１２１を有する金属ロッドセグメント１２、及び金属作動レバー１６を備えている。連結セグメント１１は、上側に、便座セットに対する連結のための上側連結手段１１２を有し、下側に、上にスクリーン１１３が形成されるところの接触面１１１を有している。接触面１１１は、横が縁によって限定され、プラスチックのシール１９が、接触面１１１の部分に隣接して縁の内側に配置されている。したがって、縁及び接触面１１１はシール１９を保持している。
【００３７】
下方で、金属の管状体のロッドセグメントのスリーブ１７が接触面１１１に垂直に配置され、そのスリーブからロッドセグメント１２が突出している。弾性的に変形可能なプラスチックのブロッキング部分１３、及び比較的固いプラスチックのスペーサ１８が、ロッドセグメントのスリーブ１７上で摺動し、スペーサ１８はブロッキング部分１３と接触面１１１又はシール１９との間に置かれている。ブロッキング部分１３の下方で、ロッドセグメントのスリーブ１７は、垂直なガイドスロット１７１が設けられる。スライドボルト１５の固定ピストン１５２が、ガイドスロット１７１内に係合し、そのボルトは、ロッドセグメントのスリーブ１７上に配置されたブロッキング部分１３上のスペーサ１８から離れる向きへ面するブロッキング部分１３の下方又は側部に配置されている。ロッドセグメントのスリーブ１７とスライドボルト１５は、ガイドスロット１７１及び固定ピストン１５２を介して回転不可能な方式で互いに連結され、スライドボルト１５は、ガイドスロット１７１の長さにわたりロッドセグメントのスリーブ１７上で垂直方向に移動可能である。
【００３８】
枢動ピン１４は、ブロッキング部分１３に対して、スライドボルト１５に隣接して又はその下方においてロッドセグメント１２に配置される。枢動ピン１４は、それによって枢動ピン１４が回転不可能な方式でロッドセグメント１２にねじ込まれるところの、スクリューインサート１４２を有する。ピストンピン１４はその上側において外側接触面１４１を有し、スライドボルト１５はその下側において内側接触面１５１を有する。外側接触面１４１と内側接触面１５１は、合致する傾斜したデザインを有することによって、ロッドセグメント１２の長手方向軸１２１に対して鋭角を形成する。
【００３９】
以下の記述は、更なる説明の全体に適用される。図面のより確かな明瞭さのために図面内に参照番号が存在するならば、しかし、それらが直接的に関連する説明文内で述べられていないならば、図面の先行する記述内のそれらの説明に対して参照がなされる。更に、関連する図面内に含まれていない参照番号が、図面に直接的に関連する説明文内で述べられているならば、先行する図面に対して参照がなされる。
【００４０】
図２の固定装置１は、図１と比べたときに、ロッドセグメント１２の長手方向軸１２１の周りで左に９０度回転しているように示されている。作動レバー１６は、回転不可能な方式で、直角に連結セグメント１１内の中心に連結された、長手方向に形作られたロッドとして構成されるように見られ得る。連結セグメント１１は、作動レバー１６がロッドセグメント１２の長手方向軸１２１の周りで回転可能であるところの、レバーソケット１１５を有する。それによって、レバーソケット１１５の境界は、作動レバー１６の回転半径（ｒａｄｉｕｓ  ｏｆ  ｒｏｔａｔｉｏｎ）を１８０度に限定する。
【００４１】
図３では、取り付け装置１が下から見られている。ガイドスロット１１４は、ロッドセグメント１２から突出し、接触面１１１上に形成されるように見られ得る。更に、ロッドセグメントのスリーブ１７の頭部領域は、ガイドスロット１１４と係合し、この頭部領域は、ロッドセグメントのスリーブ１７がその長手方向軸の周りで連結セグメント１１に対して回転不可能なように設計されている。したがって、ロッドセグメントのスリーブ１７とスライドボルト１５は、回転不可能な方式で連結セグメント内に連結され、一方、ロッドセグメント１２は、枢動ピン１４及び作動レバー１６と共にロッドセグメント１２の長手方向軸の周りで回転可能である。
【００４２】
図４は、便座セット３を示し、それは、２つの取り付け装置１を有するアセンブリキットによって、便器２に取り付けられている。便座セット３は、シートリング３１及び２つの開閉用ヒンジ３２を備え、それらの各々は、取り付け装置１のうちの一方に固定されるように連結されている。この目的で、開閉用ヒンジ３２は、スクリュー３３によって、関連する取り付け装置１の連結セグメント１２の連結手段１１２にねじ込まれている。取り付け装置１は、便器２の後縁の２つの取り付け開口部２１を通って挿入され、連結セグメント１１の接触面１１１の各々及びシール１９が、縁の上端上に配置され、ロッドセグメントのスリーブ１７が、ロッドセグメント１２と共に取り付け開口部２１を通って突出している。取り付け装置１のスペーサ１８は、各々、取り付け開口部２１の内側に置かれ、一方、ブロッキング部分１３、スライドボルト１５、及び枢動ピン１４は、取り付け開口部２１の下に配置され、したがって、便器の縁の下方に配置されている。
【００４３】
締め付けセグメント１３が取り付け開口部２１を通ってフィットするところの、解放位置にある取り付け装置１が、図４で示されている。枢動ピン１４の第１の接触面１４１は、スライドボルト１５の第２の接触面１５１とぴったり重なって置かれている。作動レバー１６は、それらが外向きに最大限旋回又は回転した位置にある。解放された位置では、取り付けられた便座セット３が、取り付け装置１の連結セグメント１１のガイドスロット１１４に沿って移動され得る。この方式では、取り付けられた便座セット３が、意図されたように規定通りに便器に配置され、且つ、位置合わされ得る。
【００４４】
便座セット３を便器２に固定するために、作動レバー１６は、図５で示されているようにロッドセグメント１２の長手方向軸１２１の周りで内向きに１８０度旋回される。それによって、ロッドセグメント１２自身及びそれらと共に枢動ピン１４が、長手方向軸１２１の周りで１８０度回転される。スライドボルト１５は回転できないので、第１及び第２の接触面１４１、１５１は、もはや互いに対してぴったりと重ならず、それぞれ、それらの最も底のセクションと最も上のセクションで接触する。この方式では、スライドボルト１５が、枢動ピン１４の回転移動の間に上向きに強いられ、ブロッキング部分１３が、スライドボルト１５とスペーサ１８との間で締め付けられる。この場合に、ブロッキング部分１３は、それらがもはや便器２の取り付け開口部２１を通ってフィットしないように変形する。その後、便座セット３は、便器２に固定されるように取り付けられる。
【００４５】
同時に、スライドボルト１５の変位又は長手方向の移動によって、且つ、ブロッキング部分１３の変形によって、ロッドセグメントのスリーブ１７に圧力が加えられ、これらのスリーブは、連結セグメント１１に対して押し付けられる。更に、ロッドセグメント１２は、スクリーン１１３によって、もはや連結セグメント１１に沿って変位することが不可能である。この方式で、便座セット３は、位置合わせされた、且つ、配置された位置に固定される。
【００４６】
図６は、本発明の取り付け装置１０の第２の実施形態を示し、それは、金属連結セグメント１１０、金属ロッドセグメント１２０、及び金属作動レバー１６０を備える。連結セグメント１１０は、便座セットと１つの下側の接触面１１１０に連結するための連結手段を有する。接触面１１１０は、横が縁によって境界付けられ、プラスチックのシール１９０が、接触面１１１０の部分に隣接して縁の内側に配置される。したがって、縁及び及び接触面１１１０は、シール１９０を保持する。
【００４７】
ロッドセグメント１２０は、連結セグメント１１０を通って突出し、連結セグメント１１０に対して軸方向に移動され得る。管状のスリーブに形作られたスペーサ１８０が、連結セグメント１１０の下方に隣接して接触面１１１０と垂直に配置され、ロッドセグメント１２０はスペーサを通って突出する。ロッドセグメント１２０上で、スペーサ１８０の下に、プレート１４０が固定されるような方式でロッドセグメント１２０に留められ、弾性的に変形可能なプラスチックのブロッキング部分１３０が、プレート１４０とスペーサ１８０との間に配置される。ロッドセグメント１２０の長手方向端部は、連結セグメント１１０から離れる向きに面して、偏心要素１６１０によって作動レバー１６０に連結されている。
【００４８】
便器２０は、その後縁に２つの取り付け開口部２１０を有し、それらの各々を通って、２つの同一な取り付け装置１０のうちの一方が突出している。この場合に、スペーサ１８０は、取り付け開口部２１０内に配置されている。連結セグメント１１０は、便器２０の縁に置かれ、ブロッキング部分１３０は、作動レバー１６０と同様に、便器２０の下側の内側に置かれている。
【００４９】
図６では、取り付け装置１０が、作動レバー１６０がロッドセグメント１２０から垂直に突出するところの、解放位置に配置されている。この位置では、取り付け装置１０が、取り付け孔２１０から取り出されるように、且つ、挿入されるようにガイドされ得る。更に、取り付け装置１０は、縁上で移動可能である。
【００５０】
図７で示されているように、作動レバー１６０は、取り付け装置１０を固定するための水平位置へと上向きに９０度だけ曲げられている。それを用いて作動レバー１６０がロッドセグメント１２０と関節式のやり方で連結されるところの、偏心要素１６１０によって圧力がブロッキング部分１３０に加えられている。したがって、ブロッキング部分１３０は、それらがもはや取り付け開口部２１０を通ってフィットしないように変形されている。それによって、取り付け装置１０は、便器２０に固定されている。
【００５１】
図８は、本発明の取り付け装置１００の第３の実施形態を示し、それは、金属連結セグメント１１００、長手方向軸１２１００を有する金属ロッドセグメント１２００、及び金属作動レバー１６００を備える。連結セグメント１１００は、一方の上側に便座セットに連結するための連結手段１１２００を有し、他方の下側に接触面１１１００を有する。
【００５２】
作動レバー１６００は、回転不可能な方式で連結セグメント１１００に連結されている。作動レバー１６００は、ほぼ水平であり、格納状態で図８において示されている。この状態では、作動レバー１６００が、連結セグメント１１００内に完全に配置されている。
【００５３】
金属の管状体のロッドセグメントのスリーブ１７００は、それを通ってロッドセグメント１２００が突出し、接触面１１１００の下方且つ接触面１１１００と垂直に隣接して配置される。弾性的に変形可能なプラスチックのブロッキング部分１３００、及び比較的固いプラスチックの分割スペーサ１８００が、ロッドセグメントのスリーブ１７００上で押し付けられる。スペーサ１８００はブロッキング部分１３００と接触面１１１００との間に置かれる。ブロッキング部分１３００の下方で、ロッドセグメントのスリーブ１７００には、垂直なガイドスロット１７１００が設けられる。スライドボルト１５００の固定ピストン１５２００は、ロッドセグメントのスリーブ１７００上に、且つ、ブロッキング部分１３００に隣接して、且つ、スペーサ１８００から離れる向きに面したブロッキング部分１３００の一方の側部の下方又は上に配置され、ガイドスロット１７１００と係合する。ロッドセグメントのスリーブ１７００とスライドボルト１５００は、ガイドスロット１７１００及び固定ピストン１５２００を介して回転不可能な方式で互いに連結され、スライドボルト１５００は、ガイドスロット１７１００の長さに沿ってロッドセグメントのスリーブ１７００上で垂直方向に変位可能である。
【００５４】
枢動ピン１４００は、ブロッキング部分１３００に対して、スライドボルト１５００に隣接して又はその下方においてロッドセグメント１２００に配置される。枢動ピン１４００は、それによって枢動ピン１４００が回転不可能な方式でロッドセグメント１２００にねじ込まれるところの、スクリューインサート１４２００を有する。枢動ピン１４００は、その上側に外側接触領域１４１００を有し、スライドボルト１５００は、その下側に内側接触領域１５１００を有する。外側接触面１４１００と内側接触面１５１００は、合致するように傾斜し且つ曲がるように設計され、それによって、それらはロッドセグメント１２００の長手方向軸１２１００と広い範囲にわたり鋭角を形成する。
【００５５】
図８との比較において、図９では、延伸された状態の作動レバー１６００を有する固定装置１００が示されている。この状態では、作動レバー１６００が、連結セグメント１１００から左へ水平に押し出されている。その結果、作動レバー１６００は、連結セグメント１１００の外側からアクセス可能であり、容易に操作することができる。また、作動レバー１６００は、ロッドのような形状であり、ロッドセグメント１２００に対して直角を形成することが明らかである。連結セグメント１１００は、レバーソケット１１５００を備え、その範囲内で作動レバー１６００が水平方向に移動され得る。
【００５６】
図１０では、取り付け装置１００が上から見られている。それによって、作動レバー１６００は中央縦スロットを有し、それはレバーソケット１１５００のボルトによって貫通されていることが明らかである。レバーソケット１１５００のボルトは、連結セグメント１１００の中心に置かれている。更に、レバーソケット１１５００は、作動レバー１６００を受け入れ且つそれを横方向にサポートする、ガイド溝を有している。
【００５７】
図１１で示されるように、作動レバー１６００は、縦スロットの端部がレバーソケット１１５００のボルトに対して当接するまで、ガイド溝に沿って左へ半径方向に延伸される。作動レバー１６００のスロットは、レバーソケット１１５００のボルトと共に、作動レバー１６００の半径方向移動を制限する。図１１で示されているように、作動レバー１６００は、左へ且つ類似した方式で右への両方で延伸され得る。
【００５８】
レバーソケット１１５００のガイド溝は、作動レバー１６００の回転又は並進移動を受け入れ、回転運動をロッドセグメント１２００に伝達する。結果として、ロッドセグメント１２００は、作動レバー１６００の回転によって回転され、したがって、取り付け装置１００は、締め付け位置から解放位置へと運ばれ、且つ、逆の動きも可能である。作動レバー１６００の格納性及び延伸性を使用して、必要に応じて、取り付け装置１００の作動のために前記装置（作動レバー１６００）が延伸され、さもなければ連結セグメント１１００内に収容され得る。したがって、取り付け装置１００の作動が必要とされないときは、連結セグメントから邪魔な部分が突出することはない。
【００５９】
本発明は、図面及び関連する記述によって表され詳細に説明されたが、この表現及びこの詳細な説明は、当業者によって、以下の特許請求の範囲から逸脱することなく変形及び修正され得ることが理解される。本開示は、種々の実施形態に関して上述され若しくは示されてきた又は以下で示される特徴の任意の組み合わせを有する実施形態も含む。本開示は、たとえそれらが他の特徴と結び付けてそこで示されておらず及び／又は上述され若しくは以下で述べられないとしても、図面内で示された個別の特徴をも含む。図面及び明細書で説明された実施形態の代替例、及びそれらの特徴が本発明の目的又は開示の目的から除かれている個別の代替例もまた本開示に含まれ得る。本開示は、他の更なる特徴を含むものと同様に、特許請求の範囲又は例示的な実施形態内で説明された特徴を排他的に備えた実施形態を含む。
【００６０】
更に、「含む」という用語及びその派生形は、他の要素又はステップを排除しない。また、「１つ（ａ）」又は「１つ（ａｎ）」という不定冠詞及びそれらの派生形は、複数を排除しない。特許請求の範囲内で挙げられる幾つかの特徴の機能は、１つのユニット又は１つのステップで実行され得る。特徴又は値に関連する「本質的に」、「約」、「近似的に」などの用語も、特に、正確な特徴又は正確な値を規定している。所与の数値又は範囲の文脈における「約」及び「近似的に」という用語は、所与の数値又は範囲の２０％の範囲内、１０％の範囲内、５％の範囲内、又は２％の範囲内を指すものと考えられる。特許請求の範囲内の全ての引用符号は、特許請求の範囲を限定するものと理解されるべきではない。
【図１】
0006731859.tif 000002
【図２】
0006731859.tif 000003
【図３】
0006731859.tif 000004
【図４】
0006731859.tif 000005
【図５】
0006731859.tif 000006
【図６】
0006731859.tif 000007
【図７】
0006731859.tif 000008
【図８】
0006731859.tif 000009
【図９】
0006731859.tif 000010
【図１０】
0006731859.tif 000011
【図１１】
0006731859.tif 000012